(57)【要約】【課題】初回開封後の開蓋および閉蓋操作を難しくすることなく、初回開封前の密封性を高めることが可能なヒンジキャップを提供する。【解決手段】ヒンジキャップ１０は、注出口２４の周囲から立設された注出ノズル２６を有し容器の口部に装着されるキャップ本体１２と、注出ノズル２６内に嵌合する栓本体３０を有する中栓１４と、キャップ本体１２にヒンジ１６を介して開閉自在に連結され、ヒンジ１６を基点とした開動作時に中栓１４との係合を介して中栓１４を一緒に引き上げる引掛け部５８を有する上蓋１８とを備える。中栓１４は、栓本体３０の外側で下垂する支持脚４４を有し、キャップ本体１２は、支持脚４４の下垂端部を係止する係止部４６を有し、引掛け部５８は、中栓１４に係合した状態にて中栓１４と上蓋１８との間に中栓１４の上方遊動を可能とするクリアランスＧをもたらす位置に形成されている。【選択図】図１
2019189324.tif 000002
【特許請求の範囲】
【請求項１】
注出口の周囲から立設された注出ノズルを有し容器の口部に装着されるキャップ本体と、
前記注出ノズル内に嵌合する栓本体を有する中栓と、
前記キャップ本体にヒンジを介して開閉自在に連結され、前記ヒンジを基点とした開動作時に前記中栓との係合を介して前記中栓を一緒に引き上げる引掛け部を有する上蓋とを備えるヒンジキャップであって、
前記中栓は、前記栓本体の外側で下垂する支持脚を有し、
前記キャップ本体は、前記支持脚の下垂端部を係止する係止部を有し、
前記引掛け部は、前記中栓に係合した状態にて前記中栓と前記上蓋との間に前記中栓の上方遊動を可能とするクリアランスをもたらす位置に形成されていることを特徴とするヒンジキャップ。
【請求項２】
前記中栓は、初回開封前において前記キャップ本体に対して組み付けられた状態にあり、その組み付け状態において前記支持脚の前記下垂端部と前記係止部とが完全に係合していることを特徴とする、請求項１に記載のヒンジキャップ。
【請求項３】
前記支持脚の下垂端部は、内面に前記係止部が形成された凹溝内に組み付けられていることを特徴とする、請求項１または２に記載のヒンジキャップ。
【請求項４】
前記中栓は、前記上蓋の開動作時に前記引掛け部と係合する係合部を有し、
前記引掛け部は、前記中栓が前記キャップ本体に組み付けられた後の前記上蓋の初回閉動作時に前記係合部を乗り越えるよう、前記上蓋から下垂する弾性片に形成されていることを特徴とする、請求項１から３までのいずれか一項に記載のヒンジキャップ。
【請求項５】
前記支持脚は、初回開封後の閉蓋時に前記下垂端部と前記係止部とを半係合させる下垂寸法を有することを特徴とする、請求項１から４までのいずれか一項に記載のヒンジキャップ。
【発明の詳細な説明】
【技術分野】
【０００１】
本発明は、注出口の周囲から立設された注出ノズルを有し容器の口部に装着されるキャップ本体と、注出ノズル内に嵌合する栓本体を有する中栓と、キャップ本体にヒンジを介して開閉自在に連結され、ヒンジを基点とした開動作時に中栓との係合を介して中栓を一緒に引き上げる引掛け部を有する上蓋とを備えるヒンジキャップの改良に関する。
【背景技術】
【０００２】
この種のヒンジキャップとして、特許文献１には、容器の口部に装着されるキャップ本体と、キャップ本体にヒンジを介して取り付けられる蓋体と、蓋体内に装着される栓体とからなり、キャップ本体は、容器の口部に装着される装着部と、口部の開口を封鎖する基壁と、基壁を貫通する注出口の周囲から立設される注出筒と、注出筒外方の基壁に形成される係合面とを備え、蓋体は、頂壁と、頂壁の周縁部に垂設される側周壁と、頂壁と側周壁との内側に設けられる抜け止め部とを備え、栓体は、上壁と、上壁から垂設され、キャップ本体の注出筒の内周を密封する密着筒と、上壁の外縁部から垂設され、内周が係合面と係合可能な係合筒と、上壁の外縁部または係合筒の外周に突設され、蓋体の抜け止め部に対して揺動可能な係止部を備えるものが開示されており、このようなヒンジキャップは、キャップ本体の開口予定部にプルリングなどを形成した抜栓部付きのヒンジキャップとは異なり、開蓋と同時に栓体が蓋体とともに注出筒から外されるので開封操作が楽であるという利点を有する。
【０００３】
特許文献１に記載のヒンジキャップでは、最初に閉蓋する前に、蓋体の側周壁に栓体を組み付ける必要があり、つまり蓋体を開いた状態で、側周壁の内周に栓体を押し込むことで栓体を側周壁内に保持させ、その後に蓋体をヒンジを介してキャップ本体に装着し、閉蓋する。その際、蓋体に装着した栓体の密着筒の外周下部がキャップ本体の注出筒の内周に密着し密封されるとともに、栓体の係合筒の先端部が基端の係合凹所内に挿入される。
【先行技術文献】
【特許文献】
【０００４】
【特許文献１】特開２０１７−１５４７４８号公報
【発明の概要】
【発明が解決しようとする課題】
【０００５】
ところで、上述した従来のヒンジキャップは、密着筒と注出筒との間および係合筒と係合凹所との間の２重の嵌合部を介してキャップ本体に対する栓体の密封性を高める構造を有しているが、初回開封前におけるより高い密封性を実現するためには栓体の係合筒の先端部をキャップ本体の係合凹所内に強固に嵌合させる必要がある。しかし、このようにした場合、通常の密封性で足りる初回開封後の使用においても、係合筒を係合凹所に嵌合しまたそれを解除する際に強い力が必要となるという新たな問題が生じる。
【０００６】
それ故本発明の目的は、初回開封後の開蓋および閉蓋操作を難しくすることなく、初回開封前の密封性を高めることが可能なヒンジキャップを提供することにある。
【課題を解決するための手段】
【０００７】
上記課題を解決するため、本発明のヒンジキャップは、注出口の周囲から立設された注出ノズルを有し容器の口部に装着されるキャップ本体と、前記注出ノズル内に嵌合する栓本体を有する中栓と、前記キャップ本体にヒンジを介して開閉自在に連結され、前記ヒンジを基点とした開動作時に前記中栓との係合を介して前記中栓を一緒に引き上げる引掛け部を有する上蓋とを備え、前記中栓は、前記栓本体の外側で下垂する支持脚を有し、前記キャップ本体は、前記支持脚の下垂端部を係止する係止部を有し、前記引掛け部は、前記中栓に係合した状態にて前記中栓と前記上蓋との間に前記中栓の上方遊動を可能とするクリアランスをもたらす位置に形成されている。
【０００８】
なお、本発明のヒンジキャップにあっては、前記中栓は、初回開封前において前記キャップ本体に対して組み付けられた状態にあり、その組み付け状態において前記支持脚の前記下垂端部と前記係止部とが完全に係合していることが好ましい。
【０００９】
また、本発明のヒンジキャップにあっては、前記支持脚の下垂端部は、内面に前記係止部が形成された凹溝内に組み付けられていることが好ましい。
【００１０】
さらに、本発明のヒンジキャップにあっては、前記中栓は、前記上蓋の開動作時に前記引掛け部と係合する係合部を有し、前記引掛け部は、前記中栓が前記キャップ本体に組み付けられた後の前記上蓋の初回閉動作時に前記係合部を乗り越えるよう、前記上蓋から下垂する弾性片に形成されていることが好ましい。
【００１１】
さらに、本発明のヒンジキャップにあっては、前記支持脚は、初回開封後の閉蓋時に前記下垂端部と前記係止部とを半係合させる下垂寸法を有することが好ましい。
【発明の効果】
【００１２】
本発明によれば、初回開封前における支持脚の下垂端部とキャップ本体の係止部との係合を強固に設定したとしても、初回開封後の閉蓋時には中栓がクリアラスの分だけ上方遊動して支持脚の下垂端部がキャップ本体の係止部に完全には係合しないあるいは全く係合しないため、次回の上蓋の開閉動作を難なく行うことができる。また、流通時等に上蓋を押し下げるような衝撃が加わった場合においても、上蓋と中栓との間のクリアランスによってその衝撃を遮断することができるので、衝撃による栓本体および注出ノズル間の密封性低下を防止することができる。
【図面の簡単な説明】
【００１３】
【図１】本発明の一実施形態の初回開封前のヒンジキャップを示した断面図である。
【図２】図１のヒンジキャップにおいて、中栓をキャップ本体に組み付ける様子を説明する図である。
【図３】図１のヒンジキャップにおいて、中栓をキャップ本体に組み付けた後、上蓋を閉める様子を説明する図である。
【図４】図１のヒンジキャップを容器の口部に装着した後、上蓋を開放した様子を示した図である。
【図５】図４の状態から上蓋を閉めた様子を示した図である。
【発明を実施するための形態】
【００１４】
以下、本発明の実施の形態を図面に基づき詳細に説明する。ここで、図１は本発明に従う一実施形態の初回開封前のヒンジキャップを示した断面図であり、図２および図３は、図１のヒンジキャップの組み立て手順を説明する図である。以下で説明するヒンジキャップは、図示しない例えば合成樹脂製のボトル型容器の口部に装着されて使用されるものである。
【００１５】
図１に示すように、本実施形態のヒンジキャップ１０は、主としてキャップ本体１２と中栓１４とヒンジ１６を介してキャップ本体１２に開閉自在に連結された上蓋１８とを備え、ポリプロピレンなどの合成樹脂材料から射出成形法などにより製造することができる。また、キャップ本体１２と上蓋１８とは好ましくは射出成形法などにより一体成形される。
【００１６】
キャップ本体１２は、容器の口部に嵌合によりもしくはねじを介して装着される装着部２０と、装着部２０の内周上端から内方に延設され容器の口部を閉鎖する内蓋壁２２と、内蓋壁２２の略中央を貫通する注出口２４の周囲から立設される注出ノズル２６と、注出口２４の下方（容器の口部の内側空間内）に設けられた緩衝機構２８とを備えている。注出ノズル２６の上縁部は液切れを良くするために捲り広げられたような形状を有するとともに、上蓋１８の閉動作時に中栓１４の後述する栓本体３０が挿入され易いようにヒンジ１６側の起立寸法がその反対側（注出側）よりも小さく形成されている。
【００１７】
装着部２０は、容器の口部の外周面と嵌合する外周壁３２と、外周壁３２の内側位置から起立して上蓋１８が閉じられた際に上蓋１８の内面下端部を係止して上蓋１８の閉鎖状態を維持する環状の上蓋係合片３４と、上蓋係合片３４の内側位置から下垂して外周壁３２との間に容器の口部を挟みこむ内周壁３６とを有する。
【００１８】
内蓋壁２２は、注出ノズル２６の外側位置から起立する突片３８と、該突片３８の外側位置から起立し突片３８との間で凹溝４０を区画する外側突片４２とを有する。凹溝４０の内側側面、すなわち突片３８の外側側面には中栓１４の後述する支持脚４４の下垂端部を係止する凸形状の係止部４６が形成されている。外側突片４２は、突片３８との間に支持脚４４の下垂端部が挿入された状態での該下垂端部の位置ずれを規制するよう下垂端部の近接位置に形成するのが好ましい。また、突片３８と外側突片４２との間に支持脚４４の下垂端部を挿入し易くするため、外側突片４２の内側側面は凹溝４０底面に向かうに連れて突片３８に近づく側へ傾斜した傾斜面として形成されるのが好ましい。なお、凹溝４０は内蓋壁２２に凹所を形成することで区画してもよい。また、突片３８および／または外側突片４２は周方向に間欠的に形成してもよい。
【００１９】
緩衝機構２８は、内容液の注出のため容器を傾けた際に内容液の勢いを和らげるものであり、注出口２４の周縁から下垂する環状の側壁４８と側壁４８の下端を閉塞する底板５０とを有する。側壁４８には、容器を傾けた際に内容液を通過させる例えばスリット状の複数の開孔４８ａが周方向に間隔をおいて形成されており、開孔４８ａのうちの少なくとも１つ（例えばヒンジ１６側の開孔４８ａ）は容器を傾けて内容液を注出する際の空気置換孔としても機能する。図示例では緩衝機構２８はキャップ本体１２と一体的に形成されているが、別体とするとともに内蓋壁２２の下面に嵌合、保持させることも可能である。緩衝機構２８の側壁４８は、中栓１４がキャップ本体１２に対して組み付けられた状態（図１）にて、側壁４８と中栓１４の後述する密着筒６４との間に隙間ｇが残される位置に形成するのが好ましい。これにより、流通時等に生じ得る外力によって中栓１４が押し込まれた場合でも密着筒６４が緩衝機構２８の側壁４８に衝突して傷つくのを防止することができる。
【００２０】
上蓋１８は、図１に示すように、ヒンジ１６を介してキャップ本体１２の外周壁３２の外周上端に開閉自在（回動自在）に連結されており、キャップ本体１２の外周壁３２と同様の外径を有して軸線方向に延びる周壁５２と、周壁５２の上端開口を閉塞する頂壁５４とを有している。周壁５２の内面下端部には、キャップ本体１２の上蓋係合片３４と係合する係合部５２ａが形成されている。また、周壁５２のヒンジ１６とは反対側には上蓋１８を開ける際に指等を掛けることができる指掛け片５２ｂが形成されている。
【００２１】
また、上蓋１８は、ヒンジ１６を基点とした開動作時に中栓１４の後述する係合部５６に下方から係合して中栓１４を一緒に引き上げる凸形状の引掛け部５８を有している。引掛け部５８は、中栓１４がキャップ本体１２に組み付けられた後の上蓋１８の初回閉動作時に係合部５６を乗り越えるよう頂壁５４から下垂する弾性片６０の内面に形成されている。図示例では弾性片６０は環状であるが、周方向に間欠的に形成してもよい。ここで肝要なのは、引掛け部５８を中栓１４の係合部５６に係合した状態にて中栓１４と上蓋１８との間に中栓１４の上方遊動を可能とするクリアランスＧをもたらす位置に形成することである。なお、引掛け部５８は周壁５２の内面に直接形成してもよい。
【００２２】
中栓１４は、上蓋１８が閉じられた状態（図１）にて上蓋１８の頂壁５４と平行に延在する円環形の上壁６２と、上蓋１８の開閉動作と連動して注出口２４を開閉する上述した栓本体３０と、栓本体３０の外側で上壁６２から下垂する上述した支持脚４４と、引掛け部５８が係合するための上述の係合部５６とを有している。
【００２３】
栓本体３０は、キャップ本体１２の注出ノズル２６に対応する位置で上壁６２から下垂するとともに注出ノズル２６の内面形状と対応した形状を有して注出ノズル２６の内面に密接（圧接）する密着筒６４と、密着筒６４の中間高さ位置に形成され上方を凸とするドーム状の隔壁６６とを有する。密着筒６４は、中栓１４をキャップ本体１２に対して組み付けた初回開封前の状態で注出ノズル２６内に深く嵌入され（図１）、初回開封後の上蓋１８の閉動作時には中栓１４がクリアランスＧの分だけ上蓋１８に対して上方遊動することで注出ノズル２６内に浅く嵌入される（図５）が、双方において注出ノズル２６に対して所定の密着性が得られる外径寸法とされている。隔壁６６は、密着筒６４の空洞部を遮蔽するだけではなく、密着筒６４を補強して注出ノズル２６と栓本体３０との間の密封性を向上させる。隔壁６６は密着筒６４の中間高さに形成することが好ましいが、注出ノズル２６の高さ範囲内であればどの位置に設けてもよい。また、図示例のように隔壁６６をドーム状に形成することで、使用後（内容液の注出後）、隔壁６６下面に付着した内容液をボトル型容器内へ戻し易くすることができる。しかし、隔壁６６の形状はドーム状に限らず、密着筒６４と協働して注出ノズル２６を閉塞するものであればどのような形態でもよく、例えば湾曲していない単なる円板状でもよい。
【００２４】
支持脚４４は図示例では栓本体３０を取り囲むように上壁６２から下垂する筒状であり、その下垂端部にはキャップ本体１２の係止部４６に係止される係合凸部４４ａが形成されている。支持脚４４は周方向に間欠的に形成してもよい。係止部４６と係合凸部４４ａとの係合力は引掛け部５８と係合部５６との係合力よりも小に設定されており、これにより図１の状態から上蓋１８を開操作すると、引掛け部５８が係合部５６を介して中栓１４を持ち上げて係止部４６と係合凸部４４ａとの係合が解除される。支持脚４４の下垂端部と係止部４６とは、中栓１４をキャップ本体１２に組み付けた初回開封前の状態では完全に係合する、すなわち下垂端部が凹溝４０内に最終位置まで挿入される（図１）。一方で、支持脚４４の下垂寸法は、初回開封後の閉蓋時に中栓１４の上壁６２が上蓋１８の頂壁５４によって押下された際に下垂端部が係止部４６に半係合する寸法に設定されている。「半係合」とは上述の「完全に係合」した状態よりも小さな係止代で係合することであり、下垂端部が係止部４６に単に接触する状態も含む概念である。なお、支持脚４４の下垂寸法は、初回開封後の閉蓋時に中栓１４の上壁６２が上蓋１８の頂壁５４によって押下された際に下垂端部が係止部４６に接触しない寸法としてもよい。また、密着筒６４との関係では、側面視において密着筒６４が支持脚４４よりも下方に突出しないよう、支持脚４４は、密着筒６４と同等もしくは密着筒６４よりも大きな下垂寸法を有するのが好ましい。これにより、中栓１４の成形からその組み付けに至るまでの搬送過程等で、注出ノズル２６とのシール部となる密着筒６４の下端部が傷つきにくくなり、注出ノズル２６と密着筒６４との間で良好な密封性が得られる。図示例では支持脚４４の下垂寸法は密着筒６４の下垂寸法よりも大きく設定されている。
【００２５】
上壁６２の外縁は支持脚４４よりも外側に張り出しており、この張出し部によって上蓋１８の引掛け部５８に下方から係合される係合部５６が形成されている。係合部５６の形態はこれに限らず、支持脚４４の外面または上壁６２の外縁部側面に凸部または凹部からなる係合部５６を形成してもよい（図示せず）。
【００２６】
図２および図３にヒンジキャップ１０の組み立て手順を示す。ヒンジ１６で相互連結されたキャップ本体１２および上蓋１８を射出成形法等により成形した状態では上蓋１８は開放されており、この状態においてまず、図２に示すように中栓１４をキャップ本体１２に組み付ける。当該組み付けは、中栓１４の栓本体３０を注出ノズル２６内に嵌入するとともに、支持脚４４の下垂端部をキャップ本体１２の凹溝４０内に最終位置まで挿入し下垂端部の係合凸部４４ａを凹溝４０内の係止部４６に完全に係合させる（係合凸部４４ａに係止部４６を乗り越えさせる）ことにより行う。
【００２７】
その後、図３に示すように上蓋１８をヒンジ１６を基点として閉方向に回動させる。これによりまず上蓋１８の引掛け部５８が弾性片６０の変形を介して中栓１４の係合部５６を乗り越え、その後上蓋１８の周壁５２の内面下端部がキャップ本体１２の上蓋係合片３４と係合し、図１に示した初回開封前の状態となる。
【００２８】
このようにして組み立てられたヒンジキャップ１０は内容液が充填された容器の口部に打栓により装着される。図４および図５に容器の口部に装着されたヒンジキャップ１０の使用態様を示す（ただし容器は図示せず）。まず図４に示すように、上蓋１８をヒンジ１６を基点として開方向に回動させると、上蓋１８の引掛け部５８が中栓１４の係合部５６に係合し、中栓１４の支持脚４４とキャップ本体１２の係止部４６との係合を解除して中栓１４が上蓋１８と一緒に引き上げられる。これにより注出口２４が開放され、容器を傾けることで容器内の内容液を緩衝機構２８を経て注出ノズル２６から注出することができる。中栓１４は、引掛け部５８を介して上蓋１８に脱落不能に保持されている。
【００２９】
次いで図５に示すように、内容液の注出が終わり上蓋１８をヒンジ１６を基点として閉方向に回動させると、中栓１４の栓本体３０が注出ノズル２６の内面と嵌合することで中栓１４はキャップ本体１２に対するクリアランスＧの分だけ相対的に上方遊動し（実際には上蓋１８がクリアランスＧの分だけ中栓１４に近づき）、中栓１４の上壁６２の上面が上蓋１８の頂壁５４の下面に当接する。この状態から上蓋１８をさらに閉動作に回動させると上蓋１８の頂壁５４によって中栓１４が押し込まれて栓本体３０が注出ノズル２６内に所定の浅い位置まで嵌入されるとともに、好ましくは、支持脚４４の下垂端部が突片３８に形成された係止部４６に半係合する。
【００３０】
したがって、密封性を高めるため初回開封前における支持脚４４の下垂端部とキャップ本体１２の係止部４６との係合を強固に設定したとしても、初回開封後の使用においては支持脚４４の下垂端部がキャップ本体１２の係止部４６に完全には係合しないあるいは全く係合しないため、初回開封後の上蓋１８の開閉動作を難なく行うことができる。また、流通時等に上蓋１８を押し下げるような衝撃が加わった場合においても、上蓋１８と中栓１４との間のクリアランスＧによってその衝撃を遮断することができるので、衝撃による栓本体３０および注出ノズル２６間の密封性低下を防止することができる。
【００３１】
また、図示例のように中栓１４を上蓋１８にではなくキャップ本体１２に組み付ける構成とした場合には、支持脚４４の下垂端部とキャップ本体１２の係止部４６とを強固に係合するようにした場合でも中栓１４をキャップ本体１２に正確かつ容易に組み付けることができる。
【００３２】
さらに、図示例のように支持脚４４の下垂端部を、内面に係止部４６が形成された凹溝４０内に組み付ける構成とした場合には、組み付け後の例えば衝撃等による支持脚４４の位置ずれを防止することができる。
【００３３】
さらに、図示例のように引掛け部５８を上蓋１８から下垂する弾性片６０に形成した場合には、中栓１４をキャップ本体１２に組み付けた後の上蓋１８の初回閉動作時に引掛け部５８が中栓１４の係合部５６を乗り越え易くなり、ヒンジキャップ１０の組み立て作業が容易となる。
【００３４】
加えて、図示例のように支持脚４４が、初回開封後の閉蓋時に下垂端部と係止部４６とが半係合する下垂寸法を有する場合には、注出ノズル２６と栓本体３０との間に加えて下垂端部と係止部４６との間でも密封効果が得られるので、初回開封後においても密封性の高いヒンジキャップ１０を提供することができる。
【００３５】
以上、図示例に基づき本発明を説明したが、本発明は上述の実施形態に限定されず、種々の変更、追加、修正が可能であり、例えば、外側突片４２や緩衝機構２８は省略してもよい。
【産業上の利用可能性】
【００３６】
本発明によれば、初回開封後の開蓋および閉蓋操作を難しくすることなく、初回開封前の密封性を高めることが可能なヒンジキャップを提供することができる。
【符号の説明】
【００３７】
１０  ヒンジキャップ
１２  キャップ本体
１４  中栓
１６  ヒンジ
１８  上蓋
２０  装着部
２２  内蓋壁
２４  注出口
２６  注出ノズル
２８  緩衝機構
３０  栓本体
３２  外周壁
３４  上蓋係合片
３６  内周壁
３８  突片
４０  凹溝
４２  外側突片
４４  支持脚
４４ａ  係合凸部
４６  係止部
４８  側壁
４８ａ  開孔
５０  底板
５２  周壁
５４  頂壁
５６  係合部
５８  引掛け部
６０  弾性片
６２  上壁
６４  密着筒
６６  隔壁
Ｇ  クリアランス
ｇ  隙間
【図１】
2019189324.tif 000003
【図２】
2019189324.tif 000004
【図３】
2019189324.tif 000005
【図４】
2019189324.tif 000006
【図５】
2019189324.tif 000007